(57)【要約】【課題】多重モード無線電話機、及びユーザ速度が電話機システムの自動選択に考慮される、動作の方法を提供する。【解決手段】無線電話機（２００）は、コードレス電話機システムまたはセルラ電話機システムで動作可能である。電話機（２００）は、ユーザがより速く進行するときに電話機が、好ましいモードである、コードレスモードからセルラモードへ自動的に移るようにユーザ速度を検出するための回路素子を組込む。これは、コードレスシステムのユーザが歩く速さよりも速く進行するときにたびたび発生する通信の質における低下を防止する。【選択図】図２
2006191679.tif 000002
【特許請求の範囲】
【請求項１】
少なくとも二つの無線電話機システムで動作する無線電話機であって、前記無線電話機システムのそれぞれに対応付けられた通信手段と、前記無線電話機の移動の速度を感知する感知手段と、前記感知手段に応答して、前記感知された速度に、全体的または部分的に、依存して前記電話機システムに対してそれぞれの前記通信手段の一つを選択する選択手段とを備えていることを特徴とする無線電話機。
【請求項２】
前記電話機システムは、それぞれマイクロ−セルラ電話機システム及びマクロ−セルラ電話機システムであり、前記選択手段は、前記速度が低いときに該マイクロ−セルラシステムを、該速度が高いときに該マクロ−セルラシステムを選択することを特徴とする請求項１に記載の無線電話機。
【請求項３】
前記感知手段は、前記無線電話機がセル境界を横切って移動する割合いを感知することによって速度を感知すべく動作することを特徴とする請求項２に記載の無線電話機。
【請求項４】
前記割合いは、通信チャネル切替事象、または試みた通信チャネル切替事象が発生する割合いを感知することによって感知され、通信チャネル切替は、同じ電話機システムにおける一つのセルから隣接するセルへの無線電話機の移動であることを特徴とする請求項３に記載の無線電話機。
【請求項５】
前記選択手段は、その中に記憶されたしきい値通信チャネル切替カウントを有している記憶手段、一般の通信チャネル切替カウントを前記しきい値カウントと比較する比較器手段を備え、該選択手段は、該一般のカウントが該しきい値カウントを越えるならば、前記マイクロ−セルラシステムから前記マクロ−セルラシステムへの切換えを開始すべく動作することを特徴とする請求項３または４に記載の無線電話機。
【請求項６】
前記感知手段は、前記電話機の移動の結果として当該電話機によって受信された前記信号に与えられたドップラーシフトを感知することによって速度を感知すべく動作することを特徴とする請求項２に記載の無線電話機。
【請求項７】
前記電話機システムは、前記電話機が通信するネットワークを有し、少なくとも一つのネットワークは、無線電話機速度を検出しかつ当該無線電話機に該速度に関する情報を伝送する手段を有することを特徴とする請求項２に記載の無線電話機。
【請求項８】
前記選択手段は、ユーザ速度を感知するために、前記無線電話機によって受信された信号の強度における変化を決定すべく動作することを特徴とする請求項２に記載の無線電話機。
【請求項９】
前記選択手段は、ユーザ速度を感知するために、受信した信号の強度の時間での変化の割合いを決定することを特徴とする請求項８に記載の無線電話機。
【請求項１０】
前記選択手段は、連続する所定の時間間隔にわたって受信した信号の平均値を決定すべく動作する平均化手段と、差分値を決定するために前記平均された値を先行する平均された値と比較すべく動作する差分手段と、前記差分を所定の差分と比較し、もし一般の差分値が所定のしきい値以上で所定の差分値を越えるならば前記マクロ−セルラシステムへの転送を開始すべく動作する比較器手段とを備えていることを特徴とする請求項９に記載の無線電話機。
【請求項１１】
マイクロ−セルラ電話機システム、マクロ−セルラ電話機システム及びいずれかのシステムで動作することができる少なくとも一つの無線電話機の組合せであって、前記無線電話機の移動の速度を感知する感知手段と、前記感知手段に応答し、前記無線電話機の速度がしきい値を越えるときに前記マクロ−セルラ電話機システムを自動的に選択する選択手段とを備えていることを特徴とする組合せ。
【請求項１２】
少なくとも二つの無線電話機システムで動作する無線電話機を動作する方法であって、前記無線電話機の移動の速度に、全体的または部分的に、依存して前記無線電話機システムを選択する段階を具備することを特徴とする方法。
【請求項１３】
前記電話機システムは、それぞれマイクロ−セルラ電話機システム及びマクロ−セルラ電話機システムであり、該マイクロ−セルラシステムは、前記速度が低いときに選択され、該マクロ−セルラシステムは、該速度が高いときに選択されることを特徴とする請求項１２に記載の方法。
【請求項１４】
前記移動の速度は、前記無線電話機がセル境界を横切って移動する割合いを感知することによって決定されることを特徴とする請求項１３に記載の方法。
【請求項１５】
前記移動の速度は、前記電話機の移動の結果として当該電話機によって受信された前記信号に与えられたドップラーシフトを感知することによって決定されることを特徴とする請求項１３に記載の方法。
【請求項１６】
前記電話機システムは、前記電話機が通信するネットワークを有し、少なくとも一つのネットワークは、無線電話機速度を検出しかつ当該無線電話機に該速度に関する情報を伝送することを特徴とする請求項１３に記載の方法。
【発明の詳細な説明】
【技術分野】
【０００１】
本発明は、無線電話機に関し、より特定的には、一つ以上のシステムで動作可能な無線電話機及びそのような電話機を動作する方法に関する。
【背景技術】
【０００２】
最近１０年間にわたり、無線電話機システムの使用及び可用性において急速な成長がありました。この成長の一部分として、ユーザ（使用者）に種々のサービス、地理的通達範囲及びコストを提供する、異なる形式の無線電話機システムの急増がありました。これらの異なる無線電話機システムの多くは、互いに、同じ地理的領域または同じ地理的領域の部分を網羅します。
【０００３】
一般的に、異なる無線システムは、異なる無線周波数で動作し、異なる変調方式、信号方式及びシステム間プロトコル等を互いに利用する。それゆえに、一つのシステムに対して設計された無線電話機は、別のシステムに用いられることが一般的にできない。それゆえに、もしユーザが一つ以上のシステムへのアクセスを望むならば、一つ以上の無線電話機または一つ以上のシステムで動作することができる無線電話機のいずれかを有することが必要である。一つ以上の無線電話機を有することは、ユーザに不都合である。一つ以上のシステムで動作することができる既知の無線電話機は、単一のハウジングに組み合わされた大部分が二つの別々の電話機から一般的になる。ユーザが好む特定のシステムにおける動作は、米国特許第４，９８９，２３０号公報に開示されたように規定される。
【０００４】
多重モード無線電話機に対する特に有用でかつ適当な環境は、最近利用可能なセルラ及びコードレス電話機システムである。従来技術において、コードレス電話機は、家庭またはオフィス内に配置されたホーム基地局を有するＲＦリンクを介して家中のあらゆる地点でユーザにコール（呼出し）をかけたり受け取ったりさせるべく家庭やオフィスにおいて一般的に用いられる。そのようなコードレス電話機は、一般加入電話網（Public Switched Telephone Network: PSTN）に接続されるユーザの電話陸上通信線（telephone landline）へホーム基地局を介して接続される。更に、ディジタルシステムであるＣＴ−２またはＤＥＣＴのような既知の第２世代コードレス電話機システムが存在する。そのようなＣＴ−２またはＤＥＣＴは、ユーザに、例えば、ユーザの家の外、鉄道の駅、ショッピング・モール或いは空港のような公衆がアクセス可能なロケーションにおいてＣＴ−２またはＤＥＣＴ無線電話機と基地局との間にＲＦリンクを確立させることによって、従来のコードレス電話機のドメスティック・オペレーション（domestic operation）を越えて伸びる。そのような基地局は、テレポイント基地局として知られかつホーム基地局と同じ方法でＰＳＴＮへリンクされる。あるコードレス（そして特にＤＥＣＴ）無線電話機は、今までは電話をかけることができるだけであったが、今はテレポイント基地局を介して電話（コール）を受信することができる。そのようなシステムの記載は、ＰＣＴ国際特許出願Ｗ０ ９２／０３００６号に見出すことができる。それゆえに、電話をかけたり受信したりすると同時に地理的に移動することがコードレス電話機システムにおいて可能である。
【０００５】
しかしながら、コードレス電話機システムは、一般的に低電力システムであり、各基地局は、地勢（terrian）及びコードレス電話送受器と基地局の間の信号と混信しうるあらゆる人工物により基地局のおおよそ半径１５０メーター内だけに遠隔通信を供給する。そのようなシステムは、一般に高いユーザ密度の領域においてのみ用いられ、それゆえに市街領域に限定される傾向がある。これは、ＣＴ−２、ＤＥＣＴ等のコードレス電話機ユーザの地理的移動度を明らかに制限する。
【０００６】
従来技術において、例えば直径３５ｋｍの広い地理的領域（セル）を網羅する基地局を有している通称セルラ無線電話機システムが知られている。しかしながら、ユーザ密度が高い市街領域において、セルは、より小さくかつ周波数再使用を促進すべくより低い電力で動作して、それにより通信チャネル密度を増大する。
【０００７】
セルラシステムは、それらは、ユーザに大きな領域にわたって電話をかけたり受信したりすることを許容するのでコードレスシステムを越えた利点を有する。加えて、それらは、移動している乗り物における使用に適している。これは、セルラ電話機システムが、ユーザの乗り物が一つのセルから別のセルへ横切るときにセル間のスイッチングを容易にすべく複雑な通信チャネル切替手続（handoverprocedures）を有するからである。これは、サービスの継続を確実にしかつ通話中特に重要である。しかしながら、コードレス電話機通話は、ユーザの陸上通信線ＰＳＴＮリンクによって行われかつ陸上通信線通話と同じ費用がかかり、セルラ電話機通話は、高価なセルラ基地局及びセルラスイッチング装置によって行われかつ陸上通信線通話よりも更に高い費用でかかるので、セルラ電話機通話の費用は、コードレス電話機通話の費用よりも非常に大きい。
【０００８】
ユーザが単一の無線電話送受器を介してセルラ及びコードレス電話機システムの両方を利用することができるようにするために、通称セルラコードレス電話機（ＣＣＴ）が米国特許第４，９８９，２３０号公報に提案されている。
【０００９】
【特許文献１】米国特許第４，９８９，２３０号公報
【発明の開示】
【発明が解決しようとする課題】
【００１０】
ＤＥＣＴのようなマイクロ−セルラ／コードレス通信システムは、静止または歩いている速度で移動しているユーザ用に設計される。もし、移動端末（例えば、可搬電話機または携帯送受器）のユーザがこれらの速度よりも速く移動することを開始するならば、通信の質は、下記の要因により更に縮小される：
１） 端末は、多くの通信チャネル切替を実行しなければならない。
２） チャネル選択アルゴリズムは、あまりにもゆっくりした速度で動作して、通信停止及び部分最適チャネル選択が発生する。
３） ユーザは、おそらくマイクロ−セルラ通達範囲の外に素早く移動しうる。
【００１１】
理解されるように、要求される多数の通信チャネル切替により、ネットワークの活動もより高く、そしてネットワーク容量も縮小される。
【００１２】
本発明は、多重モード無線電話機、及びユーザ速度が電話機システムの自動選択に考慮される、動作の方法を提供することを目的とする。
【課題を解決するための手段】
【００１３】
本発明の上記目的は、少なくとも二つの無線電話機システムで動作する無線電話機であって、無線電話機システムのそれぞれに対応付けられた通信手段と、無線電話機の移動の速度を感知する感知手段と、感知手段に応答して、感知された速度に、全体的または部分的に、依存して電話機システムに対してそれぞれの通信手段の一つを選択する選択手段とを備えている無線電話機によって達成される。
【００１４】
本発明の無線電話機では、電話機システムは、それぞれマイクロ−セルラ電話機システム及びマクロ−セルラ電話機システムであり、選択手段は、速度が低いときにマイクロ−セルラシステムを、速度が高いときにマクロ−セルラシステムを選択するこように構成してもよい。
【００１５】
本発明の無線電話機では、感知手段は、無線電話機がセル境界を横切って移動する割合いを感知することによって速度を感知すべく動作するように構成してもよい。
【００１６】
本発明の無線電話機では、割合いは、通信チャネル切替事象、または試みた通信チャネル切替事象が発生する割合いを感知することによって感知され、通信チャネル切替は、同じ電話機システムにおける一つのセルから隣接するセルへの無線電話機の移動であるように構成してもよい。
【００１７】
本発明の無線電話機では、選択手段は、その中に記憶されたしきい値通信チャネル切替カウントを有している記憶手段、一般の通信チャネル切替カウントをしきい値カウントと比較する比較器手段を備え、選択手段は、一般のカウントがしきい値カウントを越えるならば、マイクロ−セルラシステムからマクロ−セルラシステムへの切換えを開始すべく動作するように構成してもよい。
【００１８】
本発明の無線電話機では、感知手段は、電話機の移動の結果として電話機によって受信された信号に与えられたドップラーシフトを感知することによって速度を感知すべく動作するように構成してもよい。
【００１９】
本発明の無線電話機では、電話機システムは、電話機が通信するネットワークを有し、少なくとも一つのネットワークは、無線電話機速度を検出しかつ無線電話機に速度に関する情報を伝送する手段を有するように構成してもよい。
【００２０】
本発明の無線電話機では、選択手段は、ユーザ速度を感知するために、無線電話機によって受信された信号の強度における変化を決定すべく動作するように構成してもよい。
【００２１】
本発明の無線電話機では、選択手段は、ユーザ速度を感知するために、受信した信号の強度の時間での変化の割合いを決定するように構成してもよい。
【００２２】
本発明の無線電話機では、選択手段は、連続する所定の時間間隔にわたって受信した信号の平均値を決定すべく動作する平均化手段と、差分値を決定するために平均された値を先行する平均された値と比較すべく動作する差分手段と、差分を所定の差分と比較し、もし一般の差分値が所定のしきい値以上で所定の差分値を越えるならばマクロ−セルラシステムへの転送を開始すべく動作する比較器手段とを備えているように構成してもよい。
【００２３】
また、本発明の上記目的は、マイクロ−セルラ電話機システム、マクロ−セルラ電話機システム及びいずれかのシステムで動作することができる少なくとも一つの無線電話機の組合せであって、無線電話機の移動の速度を感知する感知手段と、感知手段に応答し、無線電話機の速度がしきい値を越えるときにマクロ−セルラ電話機システムを自動的に選択する選択手段とを備えている組合せによっても達成される。
【００２４】
更に、本発明の上記目的は、少なくとも二つの無線電話機システムで動作する無線電話機を動作する方法であって、無線電話機の移動の速度に、全体的または部分的に、依存して無線電話機システムを選択する段階を具備する方法によっても達成される。
【００２５】
本発明の方法では、電話機システムは、それぞれマイクロ−セルラ電話機システム及びマクロ−セルラ電話機システムであり、マイクロ−セルラシステムは、速度が低いときに選択され、マクロ−セルラシステムは、速度が高いときに選択されてもよい。
【００２６】
本発明の方法では、移動の速度は、無線電話機がセル境界を横切って移動する割合いを感知することによって決定されてもよい。
【００２７】
本発明の方法では、移動の速度は、電話機の移動の結果として電話機によって受信された信号に与えられたドップラーシフトを感知することによって決定されてもよい。
【００２８】
本発明の方法では、電話機システムは、電話機が通信するネットワークを有し、少なくとも一つのネットワークは、無線電話機速度を検出しかつ無線電話機に速度に関する情報を伝送してもよい。
【００２９】
［作用］
本発明の一つの観点によれば、
無線電話機システムのそれぞれに対応付けられた通信手段と、無線電話機の移動の速度を感知する感知手段と、感知手段に応答して、感知された速度に、全体的または部分的に、依存して前記電話機システムに対する各々の前記通信手段の一つを選択する選択手段とを備えている、少なくとも二つの無線電話機システムで動作する無線電話機が提供される。
【００３０】
好ましくは、電話機システムは、それぞれマイクロ−セルラ電話機システム及びマクロ−セルラ電話機システムであり、選択手段は、速度が低いときにマイクロ−セルラシステムを、速度が高いときにマクロ−セルラシステムを選択する。
【００３１】
一実施例において、感知手段は、無線電話機がセル境界を移動する割合いを感知することによって速度を感知すべく動作する。
【００３２】
別の実施例において、感知手段は、無線電話機の移動の結果として無線電話機で受信した信号に伝えられたドップラーシフト（即ち、周波数の変化）を感知することによって速度を感知すべく動作する。この方法は、非常に精確に主ドップラー構成要素を計算できるかなりの程度のディジタル信号処理を用いているシステムにたぶん最も適する。選択された方法は、端末／ネットワーク周波数相違をドップラーシフトと間違わないように注意しなければならない。
【００３３】
更なる実施例において、選択手段は、ユーザ速度を感知するために、無線端末によって受信した信号の強度における変化を決定すべく動作する。
【００３４】
感知手段及び選択手段が基地局または一つ或いは他の電話機システムに対応付けられたネットワークに組み込まれることができるけれども、感知手段及び選択手段は、二つのシステムで動作する移動端末（例えば、可搬電話機または携帯送受器）に組み込まれうる。この場合、ネットワークは、ロケーション領域の変化の割合いまたは通信チャネル切替の割合いからユーザ速度を検出しうる。ネットワークは、マクロ−セルラシステムへ変わるべく端末に命令をくだすか或いはその検出された速度の端末にアドバイスを与えて、端末にシステム切替えについて決定ができるようにする。この後者の場合において、感知手段は、ネットワークにあり、そして選択手段は、電話機にある。
【００３５】
もし端末が、ユーザ速度を測定することができる他の装置に接続されるならば、この装置は、端末に速度情報を供給することができる。装置の形式の例は、：
慣性航行ユニット、衛星航行システム（ＧＰＳ）、局所無線航行システム、自動車速度計である。この他の装置は、端末装置の一部でありうるかまたは他の方法で接続されうる。
【００３６】
本発明の別の観点によれば、無線電話機の移動の速度に、全体的または部分的に、より該無線電話機システムを選択する段階を具備している、少なくとも二つの無線電話機システムで動作する無線電話機をオペレーティングする方法が提供される。
【発明の効果】
【００３７】
本発明の無線電話機は、少なくとも二つの無線電話機システムで動作する無線電話機であって、無線電話機システムのそれぞれに対応付けられた通信手段と、無線電話機の移動の速度を感知する感知手段と、感知手段に応答して、感知された速度に、全体的または部分的に、依存して電話機システムに対して対応する通信手段の一つを選択する選択手段とを備えているので、コードレス電話機システムまたはセルラ電話機システムのいずれでも動作可能であり、かつユーザ速度を検出してユーザがより速く進行するときに、電話機がコードレスモードからセルラモードへ自動的に移行して、コードレスシステムのユーザが歩く速さよりも速く進行するときに発生する通信の質の低下を防止することができる。
【００３８】
また、本発明の組合せは、マイクロ−セルラ電話機システム、マクロ−セルラ電話機システム及びいずれかのシステムで動作することができる少なくとも一つの無線電話機の組合せであって、無線電話機の移動の速度を感知する感知手段と、感知手段に応答し、無線電話機の速度がしきい値を越えるときにマクロ−セルラ電話機システムを自動的に選択する選択手段とを備えているので、ユーザ速度を検出してユーザがより速く進行するときに、電話機がコードレスモードからセルラモードへ自動的に移行して、コードレスシステムのユーザが歩く速さよりも速く進行するときに発生する通信の質の低下を防止することができる。
【００３９】
更に、本発明の方法は、少なくとも二つの無線電話機システムで動作する無線電話機を動作する方法であって、無線電話機の移動の速度に、全体的または部分的に、依存して無線電話機システムを選択する段階を具備するので、ユーザ速度を検出してユーザがより速く進行するときに、電話機がコードレスモードからセルラモードへ自動的に移行して、コードレスシステムのユーザが歩く速さよりも速く進行するときに発生する通信の質の低下を防止することができる。
【発明を実施するための最良の形態】
【００４０】
以下、添付した図面を参照して、本発明の実施例を説明する。
【００４１】
図１は、どちらもセルラコードレス電話機２００と通信することができるセルラ及びコードレス電話機システム１００のブロック図を示す。実際には、複数の電話機２００が存在する。システムは、各々の陸上通信電話番号を有しておりかつオフィス・ビルディング１１０、ドメスティック住宅１２０、及びある他の地理的ロケーションにそれぞれ配置されたコードレス基地局１１４、１１６、及び１１８に陸上通信線（landlines）によって接続された、一般加入電話網（ＰＳＴＮ）１１７を含む。
【００４２】
コードレス基地局１１４、１１６、及び１１８は、各々アンテナ１１２、１１９及び１２２を介してセルラコードレス電話機（ＣＣＴ）２００と通信する。アンテナ１１２、１１９及び１２２は、ホイップアンテナ或いは（印刷された）ヘリカルアンテナのようなあらゆる種類の適当なアンテナとして実施されうる。コードレス基地局１１４及び１１６は、通常のコードレス基地局でありうる。コードレス基地局１１８は、コミュニティ・コードレス基地局であり、かつそのような基地局は、ＣＣＴ２００への共有電話サービスを供給するために、市街領域、または鉄道の駅、ショッピング・モール或いは空港のような共通ユーザ領域にわたって配置されうる。そのような場合、コードレス基地局１１８は、ＣＣＴ２００の電話番号へ通話の請求書を送るための、従来のコードレス基地局では通常見出せない追加の装置を含みうる。
【００４３】
ＰＳＴＮ１１７へ電話陸上通信線を介して接続されるのは、セルラ基地局１３０を制御する基地局コントローラ（ＢＳＣ）１３６に対応付けられた移動スイッチングセンター（１３８）である。セルラ基地局１３０は、ＣＣＴ２００と通信するために受信アンテナ１３２と送信アンテナ１３４を備えている。
【００４４】
ＣＣＴ２００は、可搬ユニット、またはハンドヘルド携帯ユニットと称される、乗り物に据え付けられた移動ユニットでありうる。ＣＣＴ２００は、コードレス通信のためのアンテナ２８及びセルラ通信のためのアンテナ２３８を備えている。ＣＣＴ２００は、点線２７２によって図２に示されるように配置された、セルラ及びコードレス通信のための単一アンテナ２３８を代替的に備えうる。一般に英国においては、コードレス電話機システムは、４９ＭＨｚ（ＣＴ０）、８６０ＭＨｚ（ＣＴ２）及び１８８０−１９００ＭＨｚ（ＤＥＣＴ）の周波数帯域で動作し、セルラ電話機システムは、８９０−９０５ＭＨｚ及び９３５−９５０ＭＨｚ（ＴＡＣＳ）、９０５−９１５ＭＨｚ及び９５０−９６０ＭＨｚ（ＧＳＭ）または１８００ＭＨｚ（ＤＣＳ）の周波数帯域で動作する。
【００４５】
図２は、本発明によるＣＣＴ２００の実施例の詳細ブロック図を示す。ＣＣＴ２００は、セルラ電話機トランシーバ２３０とアンテナ２３８、コードレストランシーバ２２０とアンテナ２２８、マイクロプロセッサ２１０、キーパッド２０１、ディスプレイ（表示装置）２０５、オーディオスイッチ２６０、マイクロホン２６１、及びスピーカー２６２を備えている。マイクロホン２６１、スピーカー２６２及びキーパッド２０１は、ＣＣＴ２００の残りの部分から分離する送受器に代替的に配置されうる。コードレストランシーバ２２０及びセルラトランシーバ２３０が、帯域フィルタ（ＢＰＦ）２７０及び帯域フィルタ（ＢＰＦ）２７１によってそれぞれ単一アンテナ２３８に結合されうる代替的実施例が破線２７２によって示されている。コードレス電話機トランシーバ２２０は、あらゆる通常コードレストランシーバでありうる。しかしながら、これが異なるコードレスシステム間でＣＣＴ２００の移動を容易にするので、もしコードレス電話機トランシーバ２２０がコードレス電話機に対する共通エアーインタフェースと一致するならば、それは利点的である。セルラトランシーバ２３０は、あらゆる通常のセルラトランシーバと同様でありうる。キーパッド２０１、マイクロプロセッサ２１０、ディスプレイ２０５等は、ＣＣＴ２００において動作すべく接続されかつ配置された、あらゆる利用可能な形式でありうる。マイクロプロセッサ２１０は、ＣＣＴ２００に対してどの無線システムが現在利用可能であるかを記憶する通話利用可能レジスタ（ＳＡＲ）２１１を含む。コードレス電話機として動作しているときには、マイクロプロセッサ２１０からの制御信号は、コードレス受信機２２１及びコードレス送信機２２２を使用可能にする。マイクロプロセッサ２１０は、受信信号の強度を示しておりかつ受信データを検出するためにコードレス受信機２２１からの、そして伝送データを送るためにコードレス送信機２２２からの信号をも監視する。加えて、マイクロプロセッサ２１０は、入力する送話（呼出し：ringing）、機密コード及びコードレスシステムに関連する放送情報を検出するために、そしてダイヤル情報を送るためにコードレス送信機２２０からの制御信号を監視する。
【００４６】
マイクロプロセッサ２１０は、セルラ電話機として動作するときに、同様な方法でＣＣＴ２００を制御するが、しかし、セルラシステムで用いられる信号プロトコル及びデータ暗号化のために多少変更される。各々の電話システムに用いられる信号プロトコル、データ暗号化技術等は、この技術の分野においてよく知られており、マイクロプロセッサは、そのようなシステムにおいて信号の制御を（結果として）もたらすために既知の方法で動作すべく構成することができる。
【００４７】
オーディオスイッチ（音声切替装置）２６０は、コードレスオーディオチャネル２４０またはセルラオーディオチャネル２５０を適当にマイクロホーン２６１及びスピーカ２６２にリンク（結合）するためにマイクロプロセッサ２１０によって制御される。
【００４８】
本発明において、ユーザ速度は、セルラまたはコードレスモードのいずれかで電話機２００の動作を選択するための（判断の）基準である。他の基準が追加的に用いられうるということは、注目に値し、種々の基準は、基準が最終決定に影響を及ぼす程度に依存する重要性または“重み”のレベルによる。これらの基準及びそれらの重みは、電話機２００の性能により固定されうるかまたは動的に可変でありうる。
【００４９】
ユーザが移動するときに、電話機２００は、セルの境界を横切り、従って、一つのセルから隣接するセルへの通話チャネル切替の発生割合いがユーザの速度を表わす。
【００５０】
図３は、通信チャネル切替速度を決定することができるマイクロプロセッサ２１０で実行されるアルゴリズムをブロック図の形で示す。通信チャネル切替事象検出器３００は、各通信チャネル切替または試みられた通信チャネル切替の発生を感知する。カウンタ３０２は、予め選択された時間Ｔにおける通信チャネル切替の数をカウントし、カウンタ３０２は、タイマー３０４によってリセットされる。所定の時間Ｔにカウンタ３０２に累積されたカウントは、比較器３０６で、記憶されたしきい値カウントＮ maxと比較される。もしカウンタ３０２のカウントがＮ maxを越えたならば、比較器３０６は、コードレスモードからセルラモードへの転送を開始する出力３０８に信号を生成する。さもなくば、コードレスモードが維持される。
【００５１】
図３の回路は、通信チャネル切替割合いがより低いしきい（値）以下に降下するときに、コードレスモードへの転送が開始されるようでありうる。
【００５２】
受信した信号強度の強さ（ＲＳＳＩ）の変化の割合いは、ユーザ速度を検出するために用いることができる。このために、電話機２００は、まずＲＳＳＩを検出しなければならない。
【００５３】
図４は、端末アンテナ２２８または２３８から信号を受信し、かつディジタル信号プロセッサ３１４へ同位相（Ｉ）及び４相位相（quadrature phase）（Ｑ）信号を供給する高周波インタフェース３１２へ信号を供給する線形受信機３１０を用いてＲＳＳＩを検出する一つの方法を示す。ディジタル信号プロセッサ３１４は、受信機３１０へ自動利得制御フィードバックループ３１６によって帰還されるディジタル信号を生成する。ＲＳＳＩの測定は、フィードバックループ３１６の調整可能利得設定の知識から、そして、同位相及び４相位相信号の自乗の和、即ちＩ2 ＋Ｑ2に対応している、電力の計算から算出される。
【００５４】
図４を図２に関係付けると、ＲＦ受信機３１０及びＲＦインタフェース３１２は、コードレス及びセルラトランシーバ２２０、２３０に含まれ、そしてディジタル信号プロセッサ３１４は、マイクロプロセッサ２１０に含まれる。
【００５５】
図５は、アンテナによって受信した信号を表わす信号３２０及びＲＳＳＩ電圧を表わす第２の信号３２２を高周波インタフェース３１８へ供給する非線形受信機３１６を用いてＲＳＳＩを検出する代替方法を示す。ＲＦインタフェース３１８は、アナロク／ディジタル変換器を含み、そしてこれは、制限受信機（limiting receiver）からのＲＳＳＩ電圧をディジタル化するために用いられる。
【００５６】
図４または図５によりＲＳＳＩを表わす信号を取得して、ＲＳＳＩの変化の割合いは、図６のフローチャートに従って動作することを採り入れた回路によって検出することができる。ＲＳＳＩ検出を表わす信号は、時間Ｔの窓にわたってＲＳＳＩ信号を平均化するブロック３２４の平均化回路へ供給されて、信号ＲＳＳＩ ＡＶ０を生成する。ブロック３２４で取得した平均化回路からの出力は、時間Ｔが満了したか否かを決定する決定ブロック３２６に対応する回路の一部へ供給される。もし時間Ｔが満了していないならば、枝Ｎが取られてシステムがリセットする。もし時間Ｔが満了してしまったならば、枝Ｙが取られ、ブロック３２８の減算回路で、ＲＳＳＩ ＡＶ０信号が、それ、先の信号ＲＳＳＩ ＡＶ−１、から減算される。ブロック３２８の減算回路の出力は、もしＲＳＳＩ ＤＩＦＦが所定のしきい値よりも大きいか否かを決定する決定ブロック３３０を実行する回路に供給される異なる信号ＲＳＳＩ ＤＩＦＦである。もしＲＳＳＩ ＤＩＦＦが所定のしきい値よりも大きくなければ、枝Ｎが取られ、システムは、リセットする。もしブロック３３０で取られた決定がＹＥＳならば、ブロック３３２によって示されるように、システム切換えが開始される。
【００５７】
それゆえに、本発明の上述した実施例は、双方向モード端末でのモード選択に影響を及ぼすべくユーザ速度に依存する。
【００５８】
双方向モード端末は、二つのモードからなる：
１）マイクロ−セルラ − 静止及び歩いている速度で有用。
２）マクロ−セルラ   − 静止、歩いている及び走行している乗り物のスピードで有用
【００５９】
マイクロ−セルラモードでは、もしユーザが素早く動くことを開始したならば、端末は、サービスの低下を防ぐためにマクロ−セルラモードを選択する。更に、マイクロ−セルラシステム上の呼出しは、スピードで走行している間に開始されるべきではない。
【００６０】
この概念は、マイクロ／マクロセルラから双方向モードセルラ／空中アプリケーションの衛星システムへあるいは広げられうるし、この場合には、衛星システムがマクロシステムになり、そしてセルラがマイクロシステムになる。
【図面の簡単な説明】
【００６１】
【図１】本発明による二つの電話機システム（一つがセルラ、他がコードレス）及びセルラコードレス電話機のブロック図である。
【図２】図１のセルラコードレス電話機のブロック図である。
【図３】多数の通信チャネル切替からユーザ速度を決定するアルゴリズムを説明するブロック図である。
【図４】受信信号強度インテンシティを検出する一つの代替的方法のブロック図である。
【図５】受信信号強度インテンシティを検出する他の代替的方法のブロック図である。
【図６】ユーザ速度の測定を供給すべくどのように受信信号強度インテンシティの変化の割合いが用いられるのかを示している回路のブロック回路図である。
【符号の説明】
【００６２】
２００ セルラコードレス電話機（ＣＣＴ）
２０１ キーパッド
２０５ 液晶表示装置（ＬＣＤ）
２１０ マイクロプロセッサ
２１１ 通信利用可能レジスタ
２２０ コードレストランシーバ
２２１ コードレス受信機
２２２ コードレス送信機
２２８ アンテナ
２３０ セルラ電話機トランシーバ
２３１ セルラ受信機
２３２ セルラ送信機
２３８ アンテナ
２４０ コードレスオーディオチャネル
２５０ セルラオーディオチャネル
２６０ オーディオスイッチ
２６１ マイクロホン
２６２ スピーカー
２７０，２７１ 帯域フィルタ（ＢＰＦ）
【図１】
2006191679.tif 000003
【図２】
2006191679.tif 000004
【図３】
2006191679.tif 000005
【図４】
2006191679.tif 000006
【図５】
2006191679.tif 000007
【図６】
2006191679.tif 000008
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
少なくとも二つの異なる無線電話機システムで動作する無線電話機であり、該無線電話機システムがマイクロ−セルラ電話機システム及びマクロ−セルラ電話機システムを含んでおり、該無線電話機が
前記マイクロ−セルラ電話機システム及び前記マクロ−セルラ電話機システムに関連付けられた通信手段と、
前記無線電話機の移動の速度を感知する感知手段と、
前記感知手段に応答して、該感知した前記移動の速度がしきい値としての速度を超えるときに前記マクロ−セルラ電話機システムに関連付けられた前記通信手段を選択して、前記マイクロ−セルラ電話機システムから前記マクロ−セルラ電話機システムへ変更させる選択手段とを備えていることを特徴とする無線電話機。
【請求項２】
前記マイクロ−セルラ電話機システムと前記マクロ−セルラ電話機システムは異なる動作プロトコルを有することを特徴とする請求項１に記載の無線電話機。
【請求項３】
前記マイクロ−セルラ電話機システムは、コードレス電話機システムでありかつ前記マクロ−セルラ電話機システムは、モバイル・セルラ電話機システムであることを特徴とする請求項１又は２に記載の無線電話機。
【請求項４】
前記感知手段は、前記無線電話機がセル境界を横切って移動する割合いを感知することによって前記移動の速度を感知すべく動作することを特徴とする請求項１乃至３のいずれかに記載の無線電話機。
【請求項５】
前記移動する割合いは、通信チャネル切替事象、または試みた通信チャネル切替事象が発生する割合いを感知することによって感知され、通信チャネル切替は、同じ電話機システムにおける一つのセルから隣接するセルへの無線電話機の移動であることを特徴とする請求項３に記載の無線電話機。
【請求項６】
前記選択手段は、しきい値としての切替の割合いが記憶された記憶手段と、感知した切替の割合いを前記しきい値としての切替の割合いと比較する比較器手段とを備え、
前記選択手段は、前記感知した切替の割合いが前記しきい値としての切替の割合いを超える場合には、前記マイクロ−セルラ電話機システムから前記マクロ−セルラ電話機システムへ変更させるべく動作することを特徴とする請求項４または５に記載の無線電話機。
【請求項７】
前記感知手段は、前記無線電話機の移動の結果として当該無線電話機によって受信された信号に与えられたドップラーシフトを感知することによって前記移動の速度を感知すべく動作することを特徴とする請求項１乃至３のいずれかに記載の無線電話機。
【請求項８】
前記電話機システムは、前記無線電話機が通信するネットワークを有し、少なくとも一つのネットワークは、前記移動の速度を感知しかつ当該無線電話機に該感知した前記移動の速度に関する情報を伝送する手段を有することを特徴とする請求項１乃至３のいずれかに記載の無線電話機。
【請求項９】
前記感知手段は、前記移動の速度を感知するために、前記無線電話機によって受信された信号の強度における変化を決定すべく動作することを特徴とする請求項１乃至３のいずれかに記載の無線電話機。
【請求項１０】
前記感知手段は、前記移動の速度を感知するために、前記受信された信号の強度の時間での変化の割合いを決定することを特徴とする請求項９に記載の無線電話機。
【請求項１１】
前記感知手段は、連続する所定の時間間隔にわたって前記受信された信号の平均値を決定すべく動作する平均化手段と、差分値を計算するために平均値を先行する平均値と比較すべく動作する差分手段と、前記計算された差分値を所定の差分値と比較すべく動作する比較手段とを備え、
前記選択手段は、前記計算された差分値が所定のしきい値以上所定の差分値を超える場合には、前記マイクロ−セルラ電話機システムから前記マクロ−セルラ電話機システムへ変更させるべく動作することを特徴とする請求項１０に記載の無線電話機。
【請求項１２】
マイクロ−セルラ電話機システム、それと異なるマクロ−セルラ電話機システム、及びいずれかのシステムで動作できるように構成された少なくとも一つの無線電話機を備えており、
前記無線電話機は、
前記マイクロ−セルラ電話機システム及び前記マクロ−セルラ電話機システムに関連付けられた通信手段と、
前記無線電話機の移動の速度を感知する感知手段と、
前記感知手段に応答して、前記移動の速度がしきい値を超えるときに前記マクロ−セルラ電話機システムに関連付けられた前記通信手段を選択し、前記マイクロ−セルラ電話機システムから前記マクロ−セルラ電話機システムへ変更させる選択手段とを備えていることを特徴とするセルラ電話機システム。
【請求項１３】
マイクロ−セルラ電話機システム及びマクロ−セルラ電話機システムを含んでいる少なくとも二つの異なる無線電話機システムで動作する無線電話機を動作する方法であって、
無線電話機の移動の速度を感知する段階と、
前記感知に応答して、該感知した移動の速度がしきい値としての速度を超えるときに前記マイクロ−セルラ電話機システムから前記マクロ−セルラ電話機システムへ変更させる段階と
を具備することを特徴とする方法。
【請求項１４】
前記移動の速度は、前記無線電話機がセル境界を横切って移動する割合いを感知することによって決定されることを特徴とする請求項１３に記載の方法。
【請求項１５】
前記移動の速度は、前記無線電話機の移動の結果として当該無線電話機によって受信された信号に与えられたドップラーシフトを感知することによって決定されることを特徴とする請求項１３に記載の方法。
【請求項１６】
前記無線電話機システムは、前記無線電話機が通信するネットワークを有し、少なくとも一つのネットワークは、前記移動の速度を感知しかつ当該無線電話機に該感知した前記移動の速度に関する情報を伝送することを特徴とする請求項１３乃至１５のいずれかに記載の方法。
【請求項１７】
前記無線電話はそれ自身の移動の速度を感知することを特徴とする請求項１３乃至１５のいずれかに記載の方法。
【請求項１８】
少なくとも二つの異なる無線電話機システムで動作する無線電話機であり、該無線電話機システムがマイクロ−セルラ電話機システム及びマクロ−セルラ電話機システムを含んでおり、該無線電話機が通信するネットワークを有しかつ当該ネットワークの少なくとも一つが前記無線電話機の移動の速度を感知する手段及び該感知した前記移動の速度に関する情報を該無線電話機に送信する手段を有する、該無線電話機であって、
前記マイクロ−セルラ電話機システム及び前記マクロ−セルラ電話機システムに対する通信手段と、
ネットワークから前記移動の速度に関する情報を受信する無線電話機に応答して、前記移動の速度がしきい値としての速度を超えるときに前記マクロ−セルラ電話機システムを選択し、前記マイクロ−セルラ電話機システムから前記マクロ−セルラ電話機システムへ変更させる選択手段と、
を備えていることを特徴とする無線電話機。
【請求項１９】
前記送信された情報は、前記無線電話機に、前記マイクロ−セルラ電話機システムから前記マクロ−セルラ電話機システムへ変更させるように命令する情報を含む請求項１８に記載の無線電話機。
【請求項２０】
前記無線電話機は、前記ネットワークから前記移動の速度に関する情報を受信することに応答して、前記マイクロ−セルラ電話機システムから前記マクロ−セルラ電話機システムへ変更させるかどうかを決定する決定手段を備える請求項１８に記載の無線電話機。
【請求項２１】
マイクロ−セルラ電話機システム、それと異なるマクロ−セルラ電話機システム、及びいずれかのシステムで動作できるように構成された少なくとも一つの無線電話機を備えているセルラ電話機システムであって、
前記無線電話機システムは、該無線電話機が通信するネットワークを有しかつ当該ネットワークの少なくとも一つが前記無線電話機の移動の速度を感知する手段及び該感知した前記移動の速度に関する情報を該無線電話機に送信する手段を有し、
前記無線電話機は、ネットワークから前記移動の速度に関する情報を受信する無線電話機に応答して、前記移動の速度がしきい値としての速度を超えるときに前記マクロ−セルラ電話機システムを選択し、前記マイクロ−セルラ電話機システムから前記マクロ−セルラ電話機システムへ変更させる選択手段と、
を備えていることを特徴とするセルラ電話機システム。
【請求項２２】
マイクロ−セルラ電話機システム及びマクロ−セルラ電話機システムを含んでいる少なくとも二つの異なる無線電話機システムで動作する無線電話機を動作する方法であり、前記無線電話機システムがネットワークを有する、該方法であって、
前記ネットワークの一つで前記無線電話機の移動の速度を感知する段階と、
前記ネットワークの一つから前記感知した前記移動の速度に関する情報を伝送する段階と、
前記無線電話機において前記情報を受信する段階と、
前記情報を前記無線電話機にて受信したことに応答して、前記感知した前記移動の速度がしきい値としての速度を超えるときに前記マクロ−セルラ電話機システムを選択し、前記マイクロ−セルラ電話機システムから前記マクロ−セルラ電話機システムへ変更させる段階と
を具備することを特徴とする方法。
【請求項２３】
少なくとも二つの異なる無線電話機システムで動作する無線電話機であり、該無線電話機システムがマイクロ−セルラ電話機システム及びマクロ−セルラ電話機システムを含んでおり、該無線電話機が
前記マイクロ−セルラ電話機システム及び前記マクロ−セルラ電話機システムに関連付けられた通信手段と、
前記無線電話機の移動の速度を感知するために、前記無線電話機によって受信された信号の強度の変化の割合いを決定すべく動作する感知手段と、を有し、
前記感知手段は、
連続する所定の時間間隔にわたって前記無線電話機によって受信された信号の平均値を決定すべく動作する平均化手段と、
差分値を計算するために平均値を先行する平均値と比較すべく動作する差分手段と、
前記計算された差分値を所定の差分値と比較する比較手段と、
前記計算された差分値が所定のしきい値以上所定の差分値を越える場合には、前記マクロ−セルラ電話機システムに関連付けられた前記通信手段を選択して、前記マクロ−セルラ電話機システムから前記マクロ−セルラ電話機システムへ変更させる選択手段と
を備えていることを特徴とする無線電話機。
【請求項２４】
マイクロ−セルラ電話機システム、それと異なるマクロ−セルラ電話機システム、及びいずれかのシステムで動作できるように構成された少なくとも一つの無線電話機を備えた、セルラ電話機システムであり、
前記無線電話機は、
前記マイクロ−セルラ電話機システム及び前記マクロ−セルラ電話機システムに関連付けられた通信手段と、
前記無線電話機の移動の速度を感知するために、前記無線電話機によって受信された信号の強度の変化の割合いを決定すべく動作する感知手段と、を有し、
前記感知手段は、
連続する所定の時間間隔にわたって前記無線電話機によって受信された信号の平均値を決定すべく動作する平均化手段と、
差分値を計算するために平均値を先行する平均値と比較すべく動作する差分手段と、
前記計算された差分値を所定の差分値と比較する比較手段と、
前記計算された差分値が所定のしきい値以上所定の差分値を越える場合には、前記マクロ−セルラ電話機システムに関連付けられた前記通信手段を選択して、前記マクロ−セルラ電話機システムから前記マクロ−セルラ電話機システムへ変更させる選択手段と
を備えていることを特徴とするセルラ電話機システム。
【請求項２５】
マイクロ−セルラ電話機システム及びマクロ−セルラ電話機システムを含んでいる少なくとも二つの異なる無線電話機システムで動作する無線電話機を動作する方法であって、
連続する所定の時間間隔にわたって前記無線電話機によって受信された信号の平均値を決定する段階と、
差分値を計算するために平均値を先行する平均値と比較する段階と、
前記計算された差分値を所定の差分値と比較する段階と、
前記計算された差分値が所定のしきい値以上所定の差分値を越える場合には、前記マクロ−セルラ電話機システムを選択して、前記マクロ−セルラ電話機システムから前記マクロ−セルラ電話機システムへ変更させる段階と、
を備えていることを特徴とする無線電話機。